(57)【要約】【課題】（１）無免許者が、車両を運転して大事故を起こしている課題です。（２）エンジンキーがあれば、誰でもが簡単にエンジンを始動させる課題です。（３）脱法ハーブの吸引又は、薬物の使用による意識が正常でない者が運転をして、車両を凶器化させて、大事故を起こしている課題です。（４）車両の窃盗も色々な方法で簡単にしている問題です。（５）盗んだ車両で大事故を起こしている課題です。（６）免許停止中にも拘わらず運転をしている課題です。【課題を解決するための手段】（１）前もって、きめられた者しか運転出来ない手段です。（２）運転免許証又は、暗唱カードを機器に挿入しないと、エンジンは始動しない手段です。（３）入力し登録した番号と免許証の番号、又は、カードの番号とを照合する手段です。同番号で一致した時にエンジンキーは正常に作動する手段です。（４）自身の運転免許証の番号を、自身の暗唱番号にする手段です。（５）運転免許証と同じ大きさのカードを作成します。このカードに自身の運転免許証の番号を入力した物を、自身の暗唱カードにする手段です。【特許請求の範囲】
【請求項１】
自身の自動車運転免許証の番号を自身の暗唱番号にする方法です。
【請求項２】
自動車運転免許証と同じ大きさのカードに、自身の運転免許証の番号を入力します。
この物を自身の暗唱カードにする方法です。
【請求項３】
数々の自動車運転免許証の番号を、機器に入力し登録をしておきます。
運転をする時に機器に自身の免許証を挿入します。
登録した番号と挿入した免許証の番号とを照合します。同番号で一致した時に、エンジンキーは正常に作動する方法です。
【請求項４】
数々の暗唱カードの番号を機器に入力し登録しておきます。
運転する時に、機器に自身の暗唱カードを挿入します。
すると、登録番号と挿入した暗唱カードの番号とを照合します。同番号で一致した時にエンジンキーは正常に作動する方法です。
【請求項５】
運転免許証の番号又は、暗唱カードの番号を色々な通信メーカーに入力し、登録しておきます。
運転する時に、機器に自身の免許証又は、自身の暗唱カードを挿入します。
すると、登録番号と挿入した免許証の番号又は、暗唱カードの番号とを照合します。
同番号で一致した時にエンジンキーは正常に作動する方法です。
【請求項６】
運転をする時に、機器に運転免許証を挿入します。この免許証の番号が適正であるかを色々な通信方法、又は、通信メーカー、或いは免許証センター等を通じて番号を照合し確認をします。
すると、適正であれば、エンジンキーは正常に作動する方法です。
【請求項７】
番号を入力し登録をする操作機具と、本体機器とを切り離しておきます。必要とする時にはコードにより接続する。又は、コードレス等により番号を入力する。
或いは、番号入力操作機具と操作盤等には、暗唱方法、又は、施錠をする方法とする方法です。
【請求項８】
ブレーキペダルを踏まないと、エンジンキーは正常に作動しない安全対策の電気配線と、又は、セレクトレバーがＰ又は、Ｎ位置でないとエンジンキーは作動しない安全対策の電気配線。
この両電気配線に、本機器の電気配線を接続して安全対策を実施する方法です。
【請求項９】
本機器に免許証又は、暗唱カードを挿入しない時、或いは、入力し登録をした番号と、挿入した番号とが一致しない時には、ブレーキペダルを踏んでも、又は、セレクトレバーがＰ、又は、Ｎ位置であってもエンジンキーは作動しない方法です。
【請求項１０】
本機器に免許証又は、暗唱カードを挿入したままでエンジンを止めて車両から離れると、ブザーが鳴る、又は、ドアロックができない方法です。
【発明の詳細な説明】
【技術分野】
【０００１】自身の免許証の番号を入力し登録した番号と、自身の免許証の番号とを照合する技術分野です。
（１）数々の自動車運転免許証の番号、又は、数々の暗唱カードの番号を、機器に入力し登録をしておきます。
運転をする時に、機器に自身の運転免許証、又は、自身の暗唱カードを挿入します。
すると、登録した番号と挿入した免許証の番号、又は、暗唱カードの番号とを照合する技術分野です。
（２）自動車運転免許証と同じ大きさのカードを作成します。このカードに自身の運転免許証の番号を入力します。この物を自身の暗唱カードにする技術分野です。
（３）数々の運転免許証の番号、又は、数々の暗唱カードの番号を色々な通信方法、又は、通信メーカーなどの外部メーカーに、この番号を入力し登録しておきます。
運転をする時に、機器に自身の運転免許証、又は、自身の暗唱カードを挿入します。
すると、登録した番号と挿入した免許証の番号、又は、暗唱カードの番号とを照合する技術分野です。
（４）運転をする時に、機器に免許証を挿入します。すると、この免許証の番号が適正であるかを色々な通信方法、又は、通信メーカーなどを通じて、或いは、免許証センターなどを通じて、この番号を照合し、確認をする技術分野です。
【背景技術】
【０００２】（１）従来は無免許運転を防止するための対策を、車両自体には施していません。
（２）薬物使用者による運転防止策も、施していません。
（３）車両の盗難を防止する策として、ブザーなどを鳴らして盗難を知らせる方法などがあります。
【発明の開示】
【発明が解決しようとする課題】
【０００３】（１）無免許者が運転をして、大事故を起こしている課題。
（２）免許停止期間中にも拘わらず運転をする課題。
（３）脱法ハーブの吸引、又は、薬物使用による意識の正常でない人間でも、簡単に運転をして大事故を起こしている課題。
（４）エンジンキーがあれば、誰でもが簡単にエンジンを始動させる課題。
（５）窃盗車で大事故を起こしている課題。
（６）車両の窃盗も免許証がなくても簡単に盗める課題。
（７）自動車は本当に便利で、社会的にも必要であります。が、時として凶器車となり、暴走させて、大事故をおこしている課題。
【課題を解決するための手段】
【０００４】（１）前もって決められた者しか運転できない手段です。
（２）入力し、登録した自身の免許証の番号と、自身の免許証の番号とを照合する手段です。
（３）運転をする時に、機器に運転免許証、又は、カードを挿入しないとエンジンが始動しない手段です。
（４）本案は、自身の運転免許証の番号を、自身の暗唱番号にする手段です。
（５）暗唱番号には、時として重なり合う欠点があります。
（６）運転免許証には、同一番号は一切ありません。
（７）本案は、運転免許証と同じ大きさのカードを作成します。このカードに自身の免許証の番号を入力した物を、自身の暗唱カードにする手段です。
（８）番号を入力し登録をする際、又は、削除する際には、車両の所有者、使用者、管理者、運行管理者等の特定責任者が行います。或いは、特定の通信メーカー、又は、車のディーラー等の特定者が行う手段です。これは、安全策の為に、特定責任者以外の誰でもが、簡単に取り扱う事をさける手段です。
（９）番号を入力し登録をした番号以外の番号には、エンジンキーは作動しない手段です。
（１０）番号を入力し登録をする事を、特定の責任者以外の誰でもが、簡単に取り扱う事をさけるための手段です。
【発明の効果】
【０００５】（１）運転をする時に、機器に免許証、又は、カードを挿入しないとエンジンキーは作動しない方法による。
（２）特定の責任者が免許証の番号、又は、暗唱カードの番号を確認した番号を自身で入力し、登録をする方法による。
（３）エンジンキーがあっても、免許証又は、カードを機器に挿入しないとエンジンが作動しない方法による。
（４）免許証があっても、前もって機器に入力し、登録されていない免許証の番号にはエンジンキーは作動しない方法による。
以上の方法により、無免許運転又は、薬物使用による運転、又は、車両盗難の防止策となります。
【発明を解決するための最良の形態】
【０００６】自身の自動車運転免許証の番号を、入力し登録をします。この番号と、自身の免許証の番号とを照合する方法です。
【実施例１】自身の自動車運転免許証の番号を、自身の暗唱番号にする形態です。
【実施例２】自動車運転免許証と同じ大きさのカードに、自身の運転免許証の番号を入力します。この物を自身の暗唱カードにする形態です。
【実施例３】必要とする人数の運転免許証の番号を、特定の責任者は確認をします。そして、前もって機器にこの番号を入力し、登録をしておきます。
運転をする時に、機器に自身の運転免許証を挿入します。
すると、登録した番号と挿入した免許証の番号とを照合します。同番号で一致した時にエンジンキーは正常に作動する形態です。
【実施例４】必要とする人数の暗唱カードの番号を、特定の責任者は確認をします。そして、前もって機器にこの番号を入力し、登録をしておきます。
運転をする時に、機器に自身の暗唱カードを挿入します。
すると、登録した番号と挿入した暗唱カードの番号とを照合します。同番号で一致した時に、エンジンキーは正常に作動する形態です。
【実施例５】運転免許証の番号、又は、暗唱カードの番号を、特定の責任者は、前もって色々な通信方法、又は、通信メーカーに、この番号を入力し、登録をしておきます。
運転をする時に、機器に自身の免許証、又は自身の暗唱カードを挿入します。
すると、登録した番号と、挿入した免許証の番号、又は、暗唱カードの番号とを照合します。同番号で一致した時に、エンジンキーは正常に作動する形態です。
【実施例６】運転をする時に、機器に自身の運転免許証を挿入します。すると、この免許証の番号が適正であるかを、色々な通信方法、又は、通信メーカー、或いは免許証センターなどを通じて照合し、確認をします。
適正であれば、エンジンキーは正常に作動する形態です。
【実施例７】番号を入力し登録をする方法として、番号を入力する操作機具と本体機器とを別々にします。必要とする時には、操作機具と本体機器とを、コンセントで接続する、又は、コードレス等により番号を入力する。
或いは、本体機器と一体物になっている番号入力操作盤等には、暗唱形態、又は、操作盤には施錠する形態にする方法です。
これは、特定者以外の誰でもが、番号を簡単に入力する事をさけるための形態です。
【実施例８】ブレーキペダルを踏みこまないと、エンジンキーは作動しない安全対策の電気配線。又は、セレクトレバーがＰ又はＮ位置でないと、エンジンキーは作動しない安全対策の電気配線。
この両電気配線に本機器の電気配線を接続して、色々な安全対策を実施する形態です。
【実施例９】本機器に、免許証又は、暗唱カードを挿入しない時、又は、登録番号と挿入した番号とが一致しない時には、ブレーキペダルを踏み込んでも、又は、セレクトレバーがＰ又はＮ位置であっても、エンジンキーは作動しない形態です。
【実施例１０】本機器に、免許証又は、暗唱カードを挿入したままで、エンジンを止めて車両から離れる時には、ドアーロックができない。又は、ブザーが鳴る等をする手段です。
これにより、免許証又は、カードが機器内に残っている事を運転手に知らせる形態です。
【産業上の利用可能性】
【０００８】（１）暗唱番号で開閉する家屋の扉
（２）暗唱番号で開閉するロッカー
（３）暗唱番号で開閉する、貴金属入れの扉